(57)【特許請求の範囲】
【請求項１】
照射方向を下向きにして設けられる照射ユニットと、
複数の前記照射ユニットを一体に支持するケース体と、を備え、
前記照射ユニットの一対の側面に突設された突起部が設けられ、
前記ケース体は、複数の前記照射ユニットの周囲を囲む枠体を備え、
前記枠体の一対の側板に、当該側板の下辺を切り欠いて形成された切欠部と、前記切欠部の上端から斜め下方に延びる引掛支持部と、を備え、
それぞれの前記照射ユニットの前記突起部は、前記切欠部から導入され、対応する前記引掛支持部に引き掛けて支持され、
前記照射ユニットは、側面に形成されたねじ穴に前記枠体を貫通したねじを螺合させることで枠体に固定されている
ことを特徴とする照明器具。
【請求項２】
複数の前記照射ユニットを支持しているすべての前記引掛支持部は、それぞれの前記切欠部の上端から同じ側の斜め下方へ伸びている
ことを特徴とする請求項１に記載の照明器具。
【請求項３】
前記突起部は、前記照射ユニットの重心位置よりも上方に形成され、
前記ねじ穴は、前記突起部よりも上方に形成されている
ことを特徴とする請求項１または２に記載の照明器具。
【請求項４】
前記切欠部、及び前記引掛支持部は、前記枠体の側板を貫通する孔であることを特徴とする請求項１乃至３のいずれかに記載の照明器具。
【請求項５】
前記照射ユニットは、光源モジュールを防水して収容する筐体と、前記光源モジュールの配光を制御する反射鏡と、前記光源モジュールの熱を放熱する放熱部と、前記光源モジュールからの光が出射される出射開口を覆う透過性カバーと、を備え、
前記ケース体は、天面が外部に開放し、前記照射ユニットの放熱部を外部に露出させたこと特徴とする請求項１乃至４のいずれかに記載の照明器具。
【発明の詳細な説明】
【技術分野】
【０００１】
本発明は、照明器具に関する。
【背景技術】
【０００２】
従来、ユニット化された灯具を、照射方向が下向きとなるように、筐体内に複数収めて構成された照明器具が知られている（例えば、特許文献１参照）。特許文献１の照明器具では、照射方向が下向きとなるように灯具を支持するために、筐体内に複数の灯具の夫々を支持する灯具支持部を設けている。
【先行技術文献】
【特許文献】
【０００３】
【特許文献１】特開２０１２−１０４３４７号公報
【発明の概要】
【発明が解決しようとする課題】
【０００４】
ところで、光出力の高い灯具を、照射方向が下向きになるように複数筐体内に収めた照明器具を構成する場合には、各灯具が重くなる傾向にあり、灯具の落下防止構造を灯具支持部に設ける必要がある。そのため、筐体の構造が複雑になり、大型化するという問題があった。
本発明は、上述した事情に鑑みてなされたものであり、器具を大型化することなく、灯具を安定して支持することができる照明器具を提供することを目的とする。
【課題を解決するための手段】
【０００５】
上述した目的を達成するために、本発明は、照射方向を下向きにして設けられる照射ユニットと、複数の前記照射ユニットを一体に支持するケース体と、を備え、前記照射ユニットの一対の側面に突設された突起部が設けられ、前記ケース体は、複数の前記照射ユニットの周囲を囲む枠体を備え、前記枠体の一対の側板に、当該側板の下辺を切り欠いて形成された切欠部と、前記切欠部の上端から斜め下方に延びる引掛支持部と、を備え、それぞれの前記照射ユニットの前記突起部は、前記切欠部から導入され、対応する前記引掛支持部に引き掛けて支持され、前記照射ユニットは、側面に形成されたねじ穴に前記枠体を貫通したねじを螺合させることで枠体に固定されていることを特徴とする。
【０００６】
また、本発明は、上記照明器具において、複数の前記照射ユニットを支持しているすべての前記引掛支持部は、それぞれの前記切欠部の上端から同じ側の斜め下方へ伸びていることを特徴とする。
【０００７】
また、本発明は、上記照明器具において、前記突起部は、前記照射ユニットの重心位置よりも上方に形成され、前記ねじ穴は、前記突起部よりも上方に形成されていることを特徴とする。
また、本発明は、上記照明器具において、前記切欠部、及び前記引掛支持部は、前記枠体の側板を貫通する孔であることを特徴とする。
【０００８】
また、本発明は、上記照明器具において、前記照射ユニットは、光源モジュールを防水して収容する筐体と、前記光源モジュールの配光を制御する反射鏡と、前記光源モジュールの熱を放熱する放熱部と、前記光源モジュールからの光が出射される出射開口を覆う透過性カバーと、を備え、前記ケース体は、天面が外部に開放し、前記照射ユニットの放熱部を外部に露出させたこと特徴とする。
【発明の効果】
【００１０】
本発明によれば、照射ユニットの突起部を、枠体の引掛部に下方から挿入して引き掛けるという簡単な構成で、器具を大型化することなく、照射ユニットを安定して支持することができる。
【図面の簡単な説明】
【００１１】
【図１】本発明の実施形態の照明器具を示す側面図である。
【図２】灯具本体を上方から示す斜視図である。
【図３】灯具本体の構成を示す分解斜視図である。
【図４】照射ユニットの構成を示す断面図である。
【図５】枠体の構成を示す側面図である。
【図６】引掛部の構成を示す枠体の部分拡大側面図である。
【発明を実施するための形態】
【００１２】
以下、図面を参照して本発明の実施形態について説明する。
図１は本実施形態に係る照明器具１の側面図である。照明器具１は、例えば、テニスコートなどの、屋内や屋外のスポーツ施設で競技面を照明するために用いることができる照明器具である。図１に示すように、照明器具１は、設置面に立設されるポール５と、ポール５から延びるアーム６と、アーム６の先端部６Ｂに取り付けられる灯具本体１０と、を備えている。アーム６は、ポール５に対して所定の角度で（例えば略垂直）設けられる。また、アーム６は、設置面に立設されたポール５から延びる構成の他に、例えば、壁面から延びる構成であっても良い。なお、本実施形態において上下方向は、照明器具１の設置状態における上下方向によって定義されるものとする。
【００１３】
灯具本体１０は、アーム６の先端部６Ｂに連結された固定具４０により、アーム６に対して固定角度可変に取り付けられる。灯具本体１０は、長手方向が、アーム６がポール５から延びる方向に沿った方向に延びる略矩形形状に構成されている。
図２は、灯具本体１０を上方から示した斜視図であり、図３は、灯具本体１０の分解斜視図である。
図２、図３に示すように、灯具本体１０は、天面１１Ａ、及び、底面１１Ｂが外部に開放した矩形枠型に形成されたケース体１１内に、複数の照射ユニット２０を収めて構成されている。本実施形態では、ケース体１１の長手方向に沿って、照射ユニット２０を二つ並べて、灯具本体１０が構成されている。ケース体１１は、複数の照射ユニット２０の周囲を囲む枠状に形成された枠体１２を内周に沿って備えている。枠体１２は、薄板状の部材を矩形枠状に曲げて形成した構成である。詳細については後述するが、複数の照射ユニット２０は、枠体１２に一体に固定される構成である。
【００１４】
ケース体１１の長手方向の一端の側面には、灯具本体１０をアーム６に固定するための固定具４０が、枠体１２に連結されて備えられている。また、固定具４０の内部空間を利用して、ケース体１１の長手方向の一端側には、結線ボックス８が設けられる構成であっても良い。この結線ボックス８には、後述する光源モジュール２１に点灯電力を供給する電力供給線（図示せず）が接続され、この結線ボックス８を介して各光源モジュール２１に点灯電力が供給される。
【００１５】
図４は、照射ユニット２０の構成を示す断面図である。
図４に示すように、照射ユニット２０は、一方の面が開口する有底の矩形箱状の筐体２２と、この筐体２２の底面に設けられる光源モジュール２１と、を備えている。光源モジュール２１は、発光素子の一例たるＬＥＤ２１Ａを光源に備え、ＬＥＤ２１ＡがＬＥＤ基板２１Ｂに実装されて構成されている。なお、光源モジュール２１の光源として、ＬＥＤをＬＥＤ基板の上に密集配置して面状の発光部を形成したチップオンボード（ＣＯＢ）型の高出力ＬＥＤを用いてもよい。
【００１６】
また、筐体２２には、光源モジュール２１の配光を制御する反射鏡２４が設けられる。筐体２２には、遮蔽板２５が設けられる。遮蔽板２５は、筐体２２の底面２３と出射開口２６との間に設けられる。遮蔽板２５には、反射鏡２４が挿入される適宜の大きさの孔が形成される。遮蔽板２５は、筐体２２内部の構造が後述する透過性のカバーユニット２７（透過性カバー）を介して外部から見えないように設けられる。
【００１７】
筐体２２の底面２３の背面２３Ｂ側には、光源モジュール２１の発熱を放熱する複数の放熱フィン１９から構成される放熱部５５が設けられる。また、筐体２２には、放熱フィン１９の周囲を囲み、放熱フィン１９を保護するとともに、放熱フィン１９や筐体２２の充電部への手指の接触を防ぐ背面ガード５０が取り付けられる。また、背面ガード５０には、複数のスリット５１（図２参照）が設けられ、このスリット５１を介して放熱フィン１９から熱が背面ガード５０の外部に放熱されるように構成されている。なお、図１に示すように、照射ユニット２０は、放熱フィン１９が背面ガード５０に囲まれた状態でケース体１１の開放された天面１１Ａ側から外気に露出するように構成される。つまり、灯具本体１０は、ケース体１１の外部に開放した天面１１Ａを介して、複数の放熱フィン１９から成る放熱部５５が外部に露出し、効率よく放熱することができるように構成されている。
【００１８】
筐体２２は、図４に示すように、光源モジュール２１の正面の開口が出射開口２６として構成される。出射開口２６には、出射開口２６を覆うカバーユニット２７が設けられる。カバーユニット２７は、透光性部材であるカバー２８と、カバー２８に枠状に設けられるカバー押さえ２９と、を備える。カバー２８は、少なくとも、光源モジュール２１からの光、及び、反射鏡２４により配光制御された光源モジュール２１からの光が透過する範囲を覆うように構成される。筐体２２の正面には、出射開口２６の周囲を枠状に囲むフランジ部３６が設けられる。灯具本体１０は、カバー押さえ２９を、フランジ部３６に押し付けて、出射開口２６にカバーユニット２７を取り付けた際に、筐体２２内部の防水が図られるように構成されている。なお、カバー押さえ２９と、フランジ部３６との間にパッキンを挟み込んで筐体２２の防水を図る構成であっても良い。
【００１９】
筐体２２の底面２３には、背面２３Ｂ側からヒートパイプ３１が嵌め込まれる溝３２が設けられる。溝３２は、底面２３の長手方向に沿って延在し、底面２３の短手方向に複数並べて設けられている。本実施形態では、底面２３の背面２３Ｂ側に、３本の溝３２が設けられている。溝３２には、ヒートパイプ３１が嵌め込まれている。このように、複数のヒートパイプ３１が底面２３の長手方向に沿って嵌め込まれているため、光源モジュール２１の発熱は、ヒートパイプ３１により、底面２３の長手方向まで全体に満遍なく伝熱される。
【００２０】
放熱フィン１９は、底面２３に略垂直に立設される板状のフィンであり、底面２３の背面２３Ｂに複数並べて固定される。放熱フィン１９は、少なくともヒートパイプ３１が延在する範囲に、ヒートパイプ３１と略直交する向きに並べて設けられる。放熱フィン１９の幅は、できる限り筐体２２の短手方向の寸法に近づけられ、効率よく光源モジュール２１の発熱を放熱させることができるように構成されている。
【００２１】
次に、照射ユニット２０のケース体１１への固定構造について説明する。
図３に示すように、照射ユニット２０は、筐体２２の長手方向両端部の一対の側面２２Ａに突設された突起部３５を備える。突起部３５は、側面２２Ａに略垂直に、筐体２２の外側に向かって、出射開口側からみた正面視で、フランジ部３６よりも外側に張り出すように設けられている。突起部３５は、照射ユニット２０の取付状態で、照射ユニット２０の重心位置よりも上方に設けられているのが望ましい。
【００２２】
図５は、枠体１２の側面図であり、図６は、引掛部の構成を示す枠体１２の部分拡大図である。
図４、図５、図６に示すように、枠体１２の長手方向の一対の側板１３，１３には、引掛部１４が設けられている。引掛部１４は、側板１３，１３の下辺１３Ａを上方に向かって切り欠いて形成された切欠部１４Ａと、切欠部１４Ａに連続し、切欠部１４Ａの上端１４Ｂから斜め下方に延びる引掛支持部１４Ｃと、を備える。これにより、引掛部１４は、略Ｌ字状又は鉤状に形成されている。引掛部１４は、枠体１２の側板１３を貫通する孔の態様で形成されているとともに、当該貫通孔がさらに側板１３の下辺１３Ａを貫通する切り欠きとなっている。
【００２３】
引掛部１４は、照射ユニット２０を取り付ける適宜の位置に設けられており、引掛支持部１４Ｃは、照射ユニット２０を枠体１２に対して位置決めするための位置決め孔としても機能する。本実施形態のように、灯具本体１０が２台の照射ユニット２０を備える構成では、枠体１２の側板１３には、長手方向に沿って２つの引掛部１４が適宜の位置に形成される。
【００２４】
照射ユニット２０を、枠体１２に取り付ける際には、照射方向を下向きにした状態で筐体２２の一対の側面から突出する突起部３５を、枠体１２の下方から、切欠部１４Ａに挿入する。そして、切欠部１４Ａに挿入した突起部３５を、引掛部１４に沿って引掛支持部１４Ｃへとスライド移動させる。これにより、照射ユニット２０は、引掛部１４の引掛支持部１４Ｃに引っ掛けられた状態で支持される。枠体１２の側板１３には、引掛支持部１４Ｃの上方に、引掛支持部１４Ｃに支持されることで位置決めされた照射ユニット２０を枠体１２にねじ止めするためのねじ孔１５が設けられている。照射ユニット２０には、枠体１２のねじ孔１５に螺入された不図示のねじが螺合されるねじ穴３８が設けられる。照射ユニット２０は、枠体１２のねじ孔１５を介してねじ穴３８に螺合されたねじによってねじ止め固定される。
【００２５】
引掛部１４は、図６に示すように、引掛支持部１４Ｃが、切欠部１４Ａの上端１８Ｂから斜め下方に向かって延びるように形成されている。つまり、引掛部１４は、引掛支持部１４Ｃが、切欠部１４Ａの上端１８Ｂよりも下方に位置するように構成され、照射ユニット２０の突起部３５が載置される引掛支持部１４Ｃの受辺１６が、切欠部１４Ａに向かって斜め上向きに構成されている。受辺１６の側板１３の下辺１３Ａに対する傾き角度は略○○度から○○度に構成することができる。また、受辺１６の長さＬは、少なくとも突起部３５の直径Ｒよりも長く形成されているのが好ましい。
【００２６】
これらの構成によれば、照射ユニット２０は、引掛支持部１４Ｃに挿入された突起部３５が、受辺１６によって引っ掛けられた状態で支持される。よって、枠体１２のねじ穴３８に螺合されたねじが緩んだり、外れたりした場合でも、照射ユニット２０を引掛支持部１４Ｃで支持することができ、引掛部１４が、照射ユニット２０の落下防止機能を有する構成とすることができる。
なお、図示は省略するが、ケース体１１と、枠体１２の側板１３との間には、引掛部１４に引き掛けられた照射ユニット２０の突起部３５を許容する程度の所定の隙間が形成されている。
【００２７】
以上説明したように、本実施形態によれば、照射方向を下向きにして設けられる照射ユニット２０と、複数の照射ユニット２０を一体に支持するケース体１１と、を備え、ケース体１１は、複数の照射ユニット２０の周囲を囲む枠体１２を備え、枠体１２の一対の側板１３，１３に、照射ユニット２０の一対の側面２２Ａに突設された突起部３５が下方から挿入されて引き掛けられる引掛部１４を備えた。
この構成によれば、枠体１２の側板１３，１３に設けられた引掛部１４に、照射ユニット２０の突起部を下方から挿入して引き掛けるという簡単な構成で、灯具本体１０を大型化することなく、照射ユニット２０を安定して支持することができる。
【００２８】
また、本実施形態によれば、引掛部１４は、枠体１２の側板１３，１３の下辺１３Ａを切り欠いて形成された切欠部１４Ａと、切欠部１４Ａの上端１４Ｂから斜め下方に延びる引掛支持部１４Ｃと、を備えた。この構成によれば、切欠部１４Ａを介して下方から挿入した照射ユニット２０の突起部３５を、引掛支持部１４Ｃに引き掛けることで、照射ユニット２０の自重により、突起部３５が引掛部１４から抜け落ちにくい構成となり、照射ユニット２０を枠体１２から落下しづらい構成とすることができる。
【００２９】
また、本実施形態によれば、引掛部１４は、枠体１２の側板１３，１３を貫通する孔であるため、枠体１２を薄板を枠状に折り曲げた簡単な構成とし、安定して突起部３５を引掛部１４に引き掛けて支持することができ、灯具本体１０を大型化することなく、照射ユニット２０を安定して支持することができる。
【００３０】
また本実施形態によれば、照射ユニット２０は、光源モジュール２１を防水して収容する筐体２２と、光源モジュール２１の配光を制御する反射鏡２４と、光源モジュール２１の熱を放熱する放熱部５５と、光源モジュール２１からの光が出射される出射開口２６を覆う透過性カバー２７と、を備え、ケース体１１は、天面１１Ａが外部に開放し、照射ユニット２０の放熱部５５を外部に露出させた。この構成によれば、照射ユニット２０は、単体で防水が図られ、開放されたケース体の天面から放熱部５５を外部に露出させているため、灯具本体１０の軽量化を図り、かつ、効率よく光源モジュール２１の放熱を行うことができる。
【００３１】
また本実施形態によれば、照射ユニット２０の突起部３５を、切欠部１４Ａから挿入して引掛部１４に沿ってスライド移動させて、引掛支持部１４Ｃに引き掛けて支持させた照射ユニット２０を、枠体１２にねじ止め固定するねじ孔１５を、枠体１２の一対の側板１３に設けた。これにより、照射ユニット２０を引掛支持部１４Ｃに引き掛けて支持させるとともに、枠体１２にねじ止め固定することができ、灯具本体１０を大型化することなく、安定して照射ユニット２０を支持することができる。また、照射ユニット２０は、引掛支持部１４Ｃに引き掛けて仮止めすることができ、照射ユニット２０を枠体１２にねじ止め固定する際に、安全して作業を行うことができる。
【００３２】
なお、上述した実施の形態は、あくまでも本発明の一態様を示すものであり、本発明の趣旨を逸脱しない範囲で任意に変形及び応用が可能である。
【００３３】
例えば、上述した実施形態では、灯具本体１０は、矩形枠型のケース体１１を備える構成としたが、灯具本体１０の形状は矩形に限らず、例えば円形状や多角形状に形成されていても良い。
【符号の説明】
【００３４】
１  照明器具
１０  灯具本体
１１  ケース体
１２  枠体
１３  側板
１４  引掛部
１４Ａ  切欠部
１４Ｃ  引掛支持部
２０  照射ユニット
２２Ａ  側面
３５  突起部
【図１】
0006663287.tif 000002
【図２】
0006663287.tif 000003
【図３】
0006663287.tif 000004
【図４】
0006663287.tif 000005
【図５】
0006663287.tif 000006
【図６】
0006663287.tif 000007